(57)【要約】【課題】工芸品としての外観美と実用性を兼ね備えた収納部を備えた室内用置物を提供する。【解決手段】複数本の長柱２を桁方向Ａおよび梁方向Ｂに等間隔で立てて並べ、各長柱２の上に水平材８，９を梁方向および桁方向に組んでその上に高床板３を取付け、高床板３の周囲に小柱１１と小梁１２を組んで高床板３の上方に上方開口部１３を有する小屋枠組４を形成し、この小屋枠組４の内側空間を物入れ用の収納部５とし、小屋枠組４に対し、上方開口部１３を覆う方形または寄棟形の屋根６を着脱自在に被せる構造とした。【選択図】図１
0003112043.tif 000002
【実用新案登録請求の範囲】
【請求項１】
複数本の長柱を桁方向および梁方向に等間隔で立てて並べ、各長柱の上に水平材を梁方向および桁方向に組んでその上に高床板を取付け、高床板の周囲に小柱と小梁を組んで高床板の上方に上方開口部を有する小屋枠組を形成し、この小屋枠組の内側空間を物入れ用の収納部とし、小屋枠組に対し、上方開口部を覆う方形または寄棟形の屋根を着脱自在に被せる構造としたことを特徴とする収納部を備えた室内用置物。
【請求項２】
屋根の方角と姿勢の位置合わせに供する屋根合わせ板を小屋枠組の四方に張り出すように取付けたことを特徴とする請求項１記載の収納部を備えた室内用置物。
【請求項３】
屋根を、屋根板とその内側の内張板と軒板で囲む中空の二重構造としてなることを特徴とする請求項１または請求項２記載の収納部を備えた室内用置物。
【請求項４】
小屋枠組の屋根合わせ板の勾配を屋根の内張板と同じ勾配としたことを特徴とする請求項１ないし請求項３記載の収納部を備えた室内用置物。
【請求項５】
収納部を複数の部屋に区画する区画板を設けたことを特徴とする請求項１ないし請求項４記載の収納部を備えた室内用置物。
【請求項６】
構成材をすべて木製としてなることを特徴とする請求項１ないし請求項５記載の収納部を備えた室内用置物。
【考案の詳細な説明】
【技術分野】
【０００１】
本考案は、小間物を入れるための収納部を備えた室内用置物に関する。
【背景技術】
【０００２】
従来より、室内用置物として、木製の丸太小屋（特許文献１）、熊の形をした民芸品（特許文献２）自然の流木を利用した成魚の置物（特許文献３）などが知られている。特許文献１の丸太小屋は、唐松の小径丸太を床板上に積上げ固定して壁を構成し、木羽葺の屋根板を取付けた構造をしている。特許文献２の民芸品は、熊の形をした木製あるいは合成樹脂製の木彫民芸品の本体または置台の内部に音声発生装置を組み込んだ構造をしている。特許文献３の成魚の置物は、魚体の本体を流木で形成し、本体に金属からなる尾びれとひれを取付けた構造をしている。
【０００３】
【特許文献１】実開昭６１−１０５１９５号公報
【特許文献２】実開昭６３−１６１７９５号公報
【特許文献３】特開平１０−１１８３４３号公報
【考案の開示】
【考案が解決しようとする課題】
【０００４】
しかしながら、上記の室内用置物は、室内用置物としての価値はいずれも有るものの、実用性を兼ね備えているとは言い難く、その点で改良の余地があった。
【０００５】
本考案は上記問題点に鑑みてなされたもので、工芸品としての外観美と実用性を兼ね備えた収納部を備えた室内用置物を提供することを目的とする。
【課題を解決するための手段】
【０００６】
上記課題を解決するために、本考案の請求項１に係る収納部を備えた室内用置物は、複数本の長柱を桁方向および梁方向に等間隔で立てて並べ、各長柱の上に水平材を梁方向および桁方向に組んでその上に高床板を取付け、高床板の周囲に小柱と小梁を組んで高床板の上方に上方開口部を有する小屋枠組を形成し、この小屋枠組の内側空間を物入れ用の収納部とし、小屋枠組に対し、上方開口部を覆う方形または寄棟形の屋根を着脱自在に被せる構造としたことを特徴とする。
【０００７】
複数本の長柱の上に高床板を取付け、その上に方形または寄棟形の屋根を被せる独特の形状の置物とすることで、工芸品としての外観美を高めた置物とすることができる。
【０００８】
その一方で、屋根を着脱自在の構造とするとともに、屋根を外した小屋枠組の内側空間を上方開口部から物を出し入れできる収納部としたので、小物入れとしての実用性を高めた置物とすることができる。しかも、屋根の形を方形または寄棟形としたので、上方開口部を大きく取ることができて、収納部に対する物の出し入れを容易とすることができ、実用性がより高まる。
【０００９】
本考案の請求項２に係る収納部を備えた室内用置物は、屋根の方角と姿勢の位置合わせに供する屋根合わせ板を小屋枠組の四方に張り出すように取付けたことを特徴とする。
【００１０】
小屋枠組の四方に張り出す屋根合わせ板を利用することにより、小屋枠組に対し、屋根を水平姿勢で、傾かせることなく、正しく装着することができる。
【００１１】
本考案の請求項３に係る収納部を備えた室内用置物は、屋根を、屋根板とその内側の内張板と軒板で囲む中空の二重構造としてなることを特徴とする。
【００１２】
屋根を屋根板とその内側の内張板と軒板で囲む中空の二重構造とすることで、茅葺の屋根と同じように、屋根に厚みを持たせることができ、工芸品として重厚な印象を与えることができる。
【００１３】
本考案の請求項４に係る収納部を備えた室内用置物は、小屋枠組の屋根合わせ板の勾配を屋根の内張板と同じ勾配としたことを特徴とする。
【００１４】
両者を同じ勾配とすることで、屋根の装着性をより確実、容易なものとする。  
【００１５】
本考案の請求項５に係る収納部を備えた室内用置物は、収納部を複数の部屋に区画する区画板を設けたことを特徴とする。
【００１６】
区画板を設けることで、収納部の使い勝手を向上させることができる。
【００１７】
本考案の請求項６に係る収納部を備えた室内用置物は、構成材をすべて木製としてなることを特徴とする。
【００１８】
構成材をすべて木製とすることで、美術工芸品や民芸品としての価値を高めることができる。構成材としては、杉、檜、欅、松、桐、桜等を使用することができる。
【考案の効果】
【００１９】
以上説明したように、本考案に係る収納部を備えた室内用置物によると、工芸品としての外観美と実用性を兼ね備えた室内用置物を得ることができる。
【考案を実施するための最良の形態】
【００２０】
本考案を実施するための最良の形態を図１ないし図６を参照して説明する。これらの図において、１は本考案に係る収納部を備えた室内用置物、２は長柱、３は高床板、４は小屋枠組、５は収納部、６は屋根である。
【００２１】
長柱２は、高床板３、屋根６等を下から支える木製のもので、図１および図２に示すように、桁方向Ａおよび梁方向Ｂに等間隔で３本ずつ、計９本が床面に対し垂直に立てて並べられている。平面視すると、図３に示すように、正方形の四辺上に８本、正方形の中心位置に１本、計９本配置されている。各長柱２の下にはそれぞれ円形の台座７が取り付けられている。
【００２２】
各長柱２の上には、図４に示す水平材８が梁方向Ｂに架設されるとともに、各水平材８の上に図４に示す多数の水平材９が桁方向Ａに架設されている。そして、これら水平材９…の上に高床板３が水平に取付けられている。これらの部材は杉等の木製からなる。
【００２３】
高床板３は、図５に示す水平材１０で四方を囲まれるとともに、周縁に多数本の小柱１１が等間隔で立てられている。この小柱１１の上には四方に小梁１２が架設されており、高床板３の上方に上方開口部１３を形成する小屋枠組４を構成している。これらの部材は木製からなる。
【００２４】
小屋枠組４の各小梁１２からは、屋根６を小屋枠組４の上部に装着する際に屋根６の方角と姿勢を位置合わせする屋根合わせ板１４が四方に張り出すように取付けられている。図６に示すように、各四方の屋根合わせ板１４の外面の勾配Ｓは、後述するように、対面する屋根６の四方の内張板２３の勾配Ｓと同じ勾配とされ、このため、図６から図４に示すように、小屋枠組４に対し、屋根６を水平の姿勢で、傾かせることなく、正しく装着することができる。
【００２５】
各屋根合わせ板１４の先端からは軒天となる軒板１５が高床板３に向け内側へ延びており、各小柱１１と屋根合わせ板１４内面の図５に示す補強材１６と軒板１５内面の補強材１７が互いにトラス構造を形成し、屋根合わせ板１４と軒板１５を補強する。これらの部材は木製からなる。
【００２６】
小屋枠組４の内側空間には小間物を入れるための収納部５が形成され、眼鏡、印鑑、朱肉台、筆記具などを収納することができるようになっている。さらに、本実施形態では、収納部５に図３に示す区画板１８を着脱可能に挿入配置し、複数の部屋に小間物を分別収納できるようになっている。ただし、この区画板１８は必ずしも設ける必要はない。
【００２７】
屋根６は、小屋枠組４の上方開口部１３を覆う方形または寄棟形の形状をしており、頂部の棟木１９から四方へ屋根板２０が傾斜している。また、棟木１９の両端からは屋根６の四隅へ下り棟木２１が取付けられている。そして、屋根板２０の先端からは、屋根６を小屋枠組４の上部に装着したときに、小屋枠組４側の軒板１５に連続する軒板２２が内側へ向けて取付けられている。これらの部材は全て木製からなり、特に屋根板２０を杉板や杉皮、桜皮等の木製とすることで、茅葺屋根とは印象の異なる装飾的効果を上げることができる。
【００２８】
各軒板２２の内端からは、屋根板２０の勾配Ｓと同じ勾配Ｓをもつ内張板２３が屋根板２０と平行に延びており、これら内張板２３…の上端には頂部下に位置する天板２３ａが固定されている。このような屋根６は、屋根板２０と内張板２３と軒板２２で囲む中空の二重構造とし、茅葺の屋根と同じように屋根に厚みを持たせて、工芸品として重厚な印象を与えることができるとともに、図６から図４に示すように、小屋枠組４に対し、小屋枠組４の屋根合わせ板１３の上面に屋根６の内張板２３を密着させるようにして、上方から被せる構造とされている。
【００２９】
長柱２の下端寄りには桁方向Ａおよび梁方向Ｂにそれぞれ延びる水平材２４，２５が長柱２，２間に取付けられ、上側の水平材２５の上には高床板３よりも低い位置となる床板２６が取付けられている。なお、２７は高床板３に掛けられた梯子、２８は装飾用の扉である。装飾用の扉２８は本実施形態では固定式であるが、左右に開放可能として、内側の収納部５への小物の出し入れ口としてもよい。これらの部材も全て木製である。
【産業上の利用可能性】
【００３０】
本考案に係る収納部を備えた室内用置物は、ホテルの客室内やオフィスの応接室、一般家庭の玄関や居間などに飾る実用的な置物として利用することができる。また、木製の組み立てキットとして利用することもできる。
【図面の簡単な説明】
【００３１】
【図１】本考案の収納部を備えた室内用置物を示す正面図、
【図２】図１の収納部を備えた室内用置物を斜め上方から見た状態を示す斜視図、
【図３】図１の収納部を備えた室内用置物から屋根を取った状態を示す平面図、
【図４】図１の収納部を備えた室内用置物の内部構造を説明するために一部を断面視した側面図、
【図５】図１の収納部を備えた室内用置物から屋根を取った状態を示す斜視図、
【図６】屋根の着脱構造を説明する図であり、収納部を備えた室内用置物の一部を断面視した側面図である。
【符号の説明】
【００３２】
１  収納部を備えた室内用置物
２  長柱
３  高床板
４  小屋枠組
５  収納部
６  屋根
７  台座
８，９，１０，２４，２５  水平材
１１  小柱  
１２  小梁
１３  上方開口部
１４  屋根合わせ板
１５，２２  軒板
１６，１７  補強材
１８  区画板
１９  棟木
２０  屋根板
２１  下り棟木
２３  内張板
２６  床板
２７  高床板に掛けられた梯子
２８  装飾用の扉
Ｓ  勾配
【図１】
0003112043.tif 000003
【図２】
0003112043.tif 000004
【図３】
0003112043.tif 000005
【図４】
0003112043.tif 000006
【図５】
0003112043.tif 000007
【図６】
0003112043.tif 000008